(57)【要約】【課題】本発明は熱湯を注入することによって調理することが出来る容器であって、調理に使用された湯を簡単かつ確実に、しかも食品の一部が排出されないように排出することが出来る容器を目的とする。【解決手段】本体容器２とこの本体容器２内に嵌入される中容器３と蓋４とよりなる容器に於て、本体容器２と中容器３との所定の隅部２ａ、３ａの上端縁に夫々凹溝状切欠き５を設け、中容器３の凹溝状切欠き５の上表面に複数のブロック６を突設し、各ブロック６の相互間に排湯路７を形成して構成した湯切り孔付き容器１の構造である。【選択図】　　　　図４
2004035053.tif 000002
【特許請求の範囲】
【請求項１】
本体容器とこの本体容器の開口部に被蓋される蓋とよりなる容器に於て、該本体容器の所定の隅部上端縁に凹溝状切欠きを設けると共に該凹溝状切欠きの上表面に複数のブロックを突設して各ブロック間に排湯路を形成し、前記本体容器に蓋を被蓋することによって本体容器の隅部上端縁と蓋との間に湯切り孔を形成したことを特徴とした湯切り孔付き容器。
【請求項２】
前記凹溝状切欠きが設けられた本体容器の隅部上端縁の横巾を大きくし、かつこの隅部上端縁に被蓋される蓋の隅部を外方に突出させ、該隅部上端縁に蓋を被せた際に蓋の内周面と隅部上端縁の外周面との間に所定の隙間が形成されるように構成したことを特徴とした請求項１の湯切り孔付き容器。
【請求項３】
所定の隅部上端縁に凹溝状切欠きを設けると共に該凹溝状切欠きの上表面に複数のブロックを突設して各ブロック間に排湯路を形成してなる中容器を前記本体容器内に嵌入して構成したことを特徴とした請求項１或は請求項２の湯切り孔付き容器。
【発明の詳細な説明】
【０００１】
【発明の属する技術分野】
本発明は食品等を収納し得る容器であって、特に容器内に収納した食品を調理した後の湯を速くかつ確実に排出すると共に、湯の排出時に食品の一部が流出することを防止した湯切り孔付き容器に関するものである。
【０００２】
【従来の技術】
従来、食品の調理に使用された湯を容器の一部から排出するように構成された技術としては、例えば図５に示すような容器、或は実開昭５１−１４１６０２号公報等に示す技術が知られている。
【０００３】
前述の図５に示す容器５１は、焼きソバ等のインスタント食品等の加工食品を収納し得る本体容器５２とこの本体容器５２の開口部に被蓋し得る蓋５３とより構成されていた。
【０００４】
そして、蓋５３の所定の隅部５３ａには湯を排出する際に簡単に抜いて起立することによって、その跡に小孔５４を形成することが出来る複数の爪５５が半切れ状態に設けられて形成されていた。
【０００５】
また、実開昭５１−１４１６０２号公報に係る技術は本体容器の上端縁の一部にＶ状溝を設け、該本体容器の上端縁に重ねることが出来るフランジを開口縁に有する食器を本体容器の開口部に挿入して構成した食器付容器である。
【０００６】
前述の食器付容器は、本体容器の上端縁にＶ状溝が設けられると共に、本体容器の開口部に挿入された食器のフランジが上端縁に積層されているので、本体容器内に収納された加工食品を調理した湯は、前記Ｖ状溝より排出することが出来る。また、本体容器内で調理した食品は食器内に取り分けて食べることが出来る構造となっている。
【０００７】
【発明が解決しようとする課題】
前述の図５に示す容器５１の場合には、食品の加工に使用された湯を排出するためには、蓋５３に設けられた複数の爪５５を周りから切抜いて起立して小孔５４を開孔しなければならないので、手間がかかると共に、特に子供や婦女子には切抜き操作が困難である等の問題があった。
【０００８】
また、実開昭５１−１４１６０２号公報に係る技術は、本体容器の開口部に嵌入した食器が食事の際に利用出来る点や全体の構成が簡単で操作が容易である特徴は有しているが、容器を傾けて湯を排出する際に、本体容器内の食品の一部が前記Ｖ状溝より湯と共に流出してしまう等の問題があった。
【０００９】
本発明に係る湯切り孔付き容器は前述の問題点に鑑み開発された全く新しい技術であって、特に本体容器の隅部上端縁に複数のブロックが突設された凹溝状切欠きを設けることによって、この部分に被蓋された蓋との間に湯切り孔を形成し、これによって本体容器内の湯の排出を容易にし、かつ湯の排出時に本体容器内の食品の一部が流出することを防止した全く新しい技術を提供するものである。
【００１０】
【課題を解決するための手段】
本発明に係る湯切り孔付き容器歯、前述の従来の多くの問題点を根本的に改善した発明であって、その第１発明の要旨は、本体容器とこの本体容器の開口部に被蓋される蓋とよりなる容器に於て、該本体容器の所定の隅部上端縁に凹溝状切欠きを設けると共に該凹溝状切欠きの上表面に複数のブロックを突設して各ブロック間に排湯路を形成し、前記本体容器に蓋を被蓋することによって本体容器の隅部上端縁と蓋との間に湯切り孔を形成したことを特徴とした湯切り孔付き容器である。
【００１１】
前述の第１発明に於ては、本体容器の所定の隅部上端縁に凹溝状切欠きを設けたので、この隅部上端縁に被蓋された蓋との間に所定の隙間を形成して湯切り孔を簡単に構成することが出来る。
【００１２】
また、前記凹溝状切欠きの上表面に複数のブロックを突設して、各ブロック間に排湯路を形成したので、加工食品の加工に使用された本体容器内の湯をこの排湯路を通して排出することが出来、これによって加工食品の一部が排湯と共に流出することを防止出来る。
【００１３】
本発明に係る湯切り孔付き容器の第２発明の要旨は、前記凹溝状切欠きが設けられた本体容器の隅部上端縁の横巾を大きくし、かつこの隅部上端縁に被蓋される蓋の隅部を外方に突出させ、該隅部上端縁に蓋を被せた際に蓋の内周面と隅部上端縁の外周面との間に所定の隙間が形成されるように構成したことを特徴とした第１発明の湯切り孔付き容器である。
【００１４】
前述の第２発明に於ては、凹溝状切欠きが設けられた本体容器の隅部上端縁の横巾を大きくしたので、この部分の強度を大きくし、かつ上表面に突設された各ブロック間に形成される排湯路を長くしたので、この排湯路から加工食品の一部が流出することを防止出来る。
【００１５】
また、第２発明に於ては、本体容器の凹溝状切欠きが設けられた隅部上端縁に被蓋される蓋の隅部を外方に突出させて形成したので、この蓋の隅部を本体容器の隅部上端縁に被せた場合には、蓋の内周面を隅部上端縁の外周面との間に所定の隙間を形成することが出来る。従って、本体容器内の湯を排出する場合には、容器をそのまま傾斜させることによって排湯することが出来る。
【００１６】
本発明に係る湯切り孔付き容器の第３発明の要旨は、所定の隅部上端縁に凹溝状切欠きを設けると共に該凹溝状切欠きの上表面に複数のブロックを突設して各ブロック間に排湯路を形成してなる中容器を前記本体容器内に嵌入して構成したことを特徴とした第１発明或は第２発明の湯切り孔付き容器である。
【００１７】
前述の第３発明の湯切り孔付き容器に於ては、凹溝状切欠きを所定の隅部上端縁に有する中容器を本体容器内に嵌入して二重にしたので、湯切り孔付き容器の全体の強度を大きくすることが出来る。かつ、本体容器と中容器との間に隙間を設けることによって、中容器内に熱湯を注入した場合に、本体容器に伝達される熱を緩和することが出来る。
【００１８】
【発明の実施の形態】
図により本発明に係る湯切り孔付き容器の一実施例を具体的に説明すると、図１は本発明に係る湯切り孔付き容器の斜視図、図２は図１の湯切り孔付き容器の構成を示す斜視説明図、図３は図２の湯切り孔付き容器の要部の構成を示す拡大図、図４は図１の湯切り孔付き容器の要部の縦断面拡大図である。
【００１９】
図１乃至図４に於て、１は本発明に係る湯切り孔付き容器であって、本体容器２、中容器３及び蓋４とより構成されている。本体容器２及び中容器３の所定の隅部上端縁２ａ、３ａには凹溝状切欠き５が夫々設けられている。
【００２０】
かつ、中容器３の場合には凹溝状切欠き５の上表面に複数の枕状のブロック６が巾と直交する方向に突設されており、これ等のブロック６の相互間には溝状の排湯路７が形成されている。この際、ブロック６の天面と蓋４とのクリアランスは内容物が流出しない高さに設定しており、また、後述する蓋４に設けられた傾斜面１０端部との空間Ｓのクリアランスも同様の高さに設定している。前述の実施例はブロック６の形状を枕状にしたが、このブロック６はいずれの形状も可能である。
【００２１】
前述の中容器３は本体容器２の中に嵌入され、これによって湯切り孔付き容器１の全体の強度を大きくし、かつ中容器３と本体容器２との間に、例えば図４に示すような隙間８を形成することによって、中容器３内に熱湯を注入した場合にも、本体容器２に伝達される熱を緩和することが出来るように構成されている。
【００２２】
さらに、前述の中容器３は、ＰＥＴ・Ｇ樹脂（容器内側）とＰＳ樹脂（容器外側）との積層シートを真空成形することによって形成されており、この中容器３内に収納される加工食品側に人体に影響のある化学物質等が融出しないように配慮されている。
【００２３】
しかし、この中容器３は省略して、本体容器２と蓋４とで湯切り孔付き容器１を構成することも可能である。中容器３を省略した場合には、本体容器１の凹溝状切欠き５の上表面にブロック６を突設して排湯路７を形成する必要がある。
【００２４】
前記本体容器２或は中容器３の隅部上端縁２ａ、３ａに被せられる蓋４の隅部４ａは、図に示す如く、外方に突出されており、この隅部４ａを前記隅部上端縁２ａ、３ａに被せた場合には、隅部４ａの内周面と隅部上端縁２ａ、３ａの外周面との間に所定の隙間９が設けられるように構成されている。
【００２５】
さらに、蓋４の隅部４ａの内周部には、特に図４に明らかな如く、周辺部に来るに従って徐々に高くなるような傾斜面１０が設けられており、これによって湯切り孔付き容器１を傾斜させた際に、中容器３内の湯を凹溝状切欠き５の排湯路７にスムーズに導くことが出来るように構成されている。特に、図４に示すように、凹溝状切欠き５のブロック６天面は蓋４の底面４ｂに対して高くなっており、両者間に交差Ｇが形成されている。この交差Ｇにより、湯を捨てる際に湯の圧力が凹溝状切欠き５にストレートにかかることがなく、湯を円滑に外部へ流出させることができる。
【００２６】
【発明の効果】
本発明に於ては、本体容器の所定の隅部上端縁に凹溝状切欠きを設けた場合には、この隅部上端縁に被蓋された蓋との間に所定の隙間を形成して湯切り孔を簡単に構成することが出来る効果がある。
【００２７】
また、前記凹溝状切欠きの上表面に複数のブロックを突設して、各ブロック間に排湯路を形成した場合には、加工食品の加工に使用された本体容器内の湯をこの排湯路を通して排出することが出来、これによって加工食品の一部が排湯と共に流出することを防止出来る効果も有する。
【００２８】
本発明に於ては、凹溝状切欠きが設けられた本体容器の隅部上端縁の横巾を大きくした場合には、この部分の強度を大きくし、かつ上表面に突設された各ブロック間に形成される排湯路を長くした場合には、この排湯路から加工食品の一部が流出することを防止出来る効果がある。
【００２９】
また、本体容器の凹溝状切欠きが設けられた隅部上端縁に被蓋される蓋の隅部を外方に突出させて形成した場合には、この蓋の隅部を本体容器の隅部上端縁に被せた場合に、蓋の内周面を隅部上端縁の外周面との間に所定の隙間を形成することが出来る。従って、本体容器内の湯を排出する場合には、容器をそのまま傾斜させることによって排湯することが出来る効果も有している。
【００３０】
凹溝状切欠きを所定の隅部上端縁に有する中容器を本体容器内に嵌入して二重にした場合には、湯切り孔付き容器の全体の強度を大きくすることが出来る。かつ、本体容器と中容器との間に隙間を設けることによって、中容器内に熱湯を注入した場合に、本体容器に伝達される熱を緩和することが出来る効果を有する。
【図面の簡単な説明】
【図１】図１は本発明に係る湯切り孔付き容器の斜視図である。
【図２】図２は図１の湯切り孔付き容器の構成を示す斜視説明図である。
【図３】図３は図２の湯切り孔付き容器の要部の構成を示す拡大図である。
【図４】図４は図１の湯切り孔付き容器の要部の縦断面拡大図である。
【図５】図５は従来例を示す説明図である。
【符号の説明】
１　　…湯切り孔付き容器
２　　…本体容器
２ａ　…隅部上端縁
３　　…中容器
３ａ　…隅部上端縁
４　　…蓋
４ａ　…隅部
４ｂ　…底面
５　　…凹溝状切欠き
６　　…ブロック
７　　…排湯路
８　　…隙間
９　　…隙間
１０　…傾斜面
５１　…容器
５２　…本体容器
５３　…蓋
５３ａ…隅部
５４　…小孔
５５　…爪
Ｇ　　…交差
Ｓ　　…空間
【図１】
2004035053.tif 000003
【図２】
2004035053.tif 000004
【図３】
2004035053.tif 000005
【図４】
2004035053.tif 000006
【図５】
2004035053.tif 000007